(57)【要約】【課題】ホチキスの針カス等の除去、清掃性を向上させた複写機、ファクシミリ、プリンタ等の電子機器のクリップ置場を提供する。【解決手段】装置本体１の上カバー５に設けたクリップ置場８よりも装置本体１の手前側の壁面に穴８ａを設け、穴８ａの下部に上カバー５と一体成形したガイドリブ８ｂを設ける。右前ドア６の内側面に引っ掛け用穴２１を設け、受皿２０に一体成形によって設けた引っ掛け部２２を嵌合させて受皿２０をクリップ置場８の穴８ａの直下近傍に保持する。クリップ置場８に放置されたホチキスの針カス等を穴８ａから落下させ、右前ドア６に設置した受皿２０上へ落とすだけで除去、清掃でき、受皿２０を前ドア６から取り外して針カス等に触れずにくずかご等へ破棄できる。【選択図】　　　　図４
2004145135.tif 000002
【特許請求の範囲】
【請求項１】
複写機等の電子機器の装置本体の上カバーや操作部上に窪み状部分を設けてなるクリップ置場であって、上記窪み状部分の少なくとも一側縁あるいはその近傍に、上記装置本体内へ通じる穴を設けるとともに、該穴の真下あるいはその近傍に該穴からの落下物を受ける受皿を設けてなることを特徴とする電子機器のクリップ置場。
【請求項２】
複写機等の電子機器の装置本体の上カバーや操作部上に窪み状部分を設けてなるクリップ置場であって、上記上カバーや操作部上に、上記窪み状部分に通じるとともに上記装置本体外周縁へ開口するガイド溝を設け、該ガイド溝と上記窪み状部分の連結部位を傾斜面とし、上記装置本体内を開閉するカバー体に、上記ガイド溝の上記装置本体外周縁への開口からの落下物を受ける受皿を設けてなることを特徴とする電子機器のクリップ置場。
【請求項３】
請求項１または２の電子機器のクリップ置場において、上記受皿が、受皿本体と該受皿本体上部に回動可能に設けた回動受部とからなり、該回動受部の上記受皿本体への取り付け端を上記受皿本体内へ連通させてなることを特徴とする電子機器のクリップ置場。
【発明の詳細な説明】
【０００１】
【発明の属する技術分野】
本発明は、複写機、ファクシミリ、プリンタ等の電子機器のクリップ置場に関する。
【０００２】
【従来の技術】
図１はクリップ置場を備える複写機等の電子機器の従来の例を示す斜視図、図２はその拡大部分平面図、図３はそのＡ−Ａ断面図である。図中１は装置本体、２は原稿自動送り装置、３はフィニッシャ、４は大量給紙トレイである。また図中５は装置本体の上カバー、６は右前ドア、７は左前ドアである。
【０００３】
このような複写機等の電子機器に設けるクリップ置場としては、クリップが散らばるのを防止するために窪み状に設けるものが知られている。設置場所は、例えば図１ないし図３で示すクリップ置場８のように上カバー５上に設けるものや、図示せぬが上カバー５に設ける操作部等のように複写機本体（１０）上面の手前側に設けるもの（例えば特許文献１参照）もある。
【０００４】
なお図１ないし図３において、９は右前ドア取付けブラケット、１０は右前ドア回転支軸、１１は装置本体のフレーム（上ステー）である。
【０００５】
【特許文献１】
特開平０１−２１１７７４号公報
【０００６】
【発明が解決しようとする課題】
しかしながら前述のようなクリップ置場８には、クリップを置くための場所であるにもかかわらず、原稿を原稿自動送り装置２へセットする時に原稿から取り外したホチキスの針カス等などを大量に放置することがある。そのため、クリップ置場８からホチキスの針カス等を除去（清掃）しようとした場合に、ホチキスの針がクリッにプと比べて小さくて細く、窪み状であるクリップ置場８から取り出しにくいことや、クリップと比べてホチキスの針端部が露出しているため、清掃時に指先に針がささる危険がある。そのこと等から、除去あるいは清掃は、注意を払って針や針カス等を一つ一つ取り除くという作業になり、非常に清掃しにくくて面倒であるという欠点があった。
【０００７】
本発明は、このような従来の問題点にかんがみ、クリップ置場に放置されたホチキスの針カス等を容易に除去することができ、しかも清掃時にホチキスの針端部等によるケガ防止も図れるようにすることを目的とする。
【０００８】
【課題を解決するための手段】
本発明の請求項１に係る電子機器のクリップ置場は、上記目的を達成するために、複写機等の電子機器の装置本体の上カバーや操作部上に窪み状部分を設けてなるクリップ置場であって、上記窪み状部分の少なくとも一側縁あるいはその近傍に、上記装置本体内へ通じる穴を設けるとともに、該穴の真下あるいはその近傍に該穴からの落下物を受ける受皿を設けてなることを特徴とする。
【０００９】
同請求項２に係るものは、上記目的を達成するために、複写機等の電子機器の装置本体の上カバーや操作部上に窪み状部分を設けてなるクリップ置場であって、上記上カバーや操作部上に、上記窪み状部分に通じるとともに上記装置本体外周縁へ開口するガイド溝を設け、該ガイド溝と上記窪み状部分の連結部位を傾斜面とし、上記装置本体内を開閉するカバー体に、上記ガイド溝の上記装置本体外周縁への開口からの落下物を受ける受皿を設けてなることを特徴とする。
【００１０】
同請求項３に係るものは、上記目的を達成するために、請求項１または２の電子機器のクリップ置場において、上記受皿が、受皿本体と該受皿本体上部に回動可能に設けた回動受部とからなり、該回動受部の上記受皿本体への取り付け端を上記受皿本体内へ連通させてなることを特徴とする。
【００１１】
【発明の実施の形態】
以下本発明の実施の形態を図面を参照して説明する。なお以下では従来と共通する部分には共通する符号を付すにとどめ重複する説明は省略する。
図４は本発明に係る電子機器のクリップ置場の第１実施形態を示す図３相当の平面図（Ａ）とそのＢ−Ｂ断面図（Ｂ）、図５は受皿の平面図（Ａ）と側面図（Ｂ）である。図示のように、本実施形態の電子機器のクリップ置場は、装置本体１の上カバー５に設けたクリップ置場８よりも装置本体１の手前側の壁面に穴８ａを設け、かつ穴８ａの下部に上カバー５と一体成形したガイドリブ８ｂが設けてある。なお図中Ｄは受皿２０の奥行き寸法を示す。
【００１２】
また右前ドア６の内側面には、クリップ置場８の穴８ａの直下近傍に受皿２０を取り付けるための引っ掛け用穴２１を設けてあり、ここに受皿２０に一体成形によって設けた引っ掛け部２２を嵌合させて受皿２０を保持できるようになっている。
【００１３】
以上の構成でクリップ置場８に放置されたホチキスの針カス等を除去、清掃するには、ホチキスの針カス等を、クリップ置場８壁面の穴８ａから図中の矢印Ｘ方向へ落下させ、右前ドア６に設置した受皿２０上へ落とすだけでよい。このとき、穴８ａの下部に設けたガイドリブ８ｂが、ホチキスの針カス等が受皿２０外へ飛び出すことを防止するための落下ガイドの役割を果たす。また受皿２０は、前ドア６から着脱できるため、受皿２０上の針カスに触れずにくずかご等へ破棄することができる。
【００１４】
なお本実施形態においてはクリップ置場８の装置本体１の手前側の壁面に穴８ａを設けているが、これは穴８ａを目立たないようにしたデザイン的考慮によるものであり、単にクリップ置場８の清掃のみの目的であれば、穴８ａの場所はクリップ置場８内であればどこでもかまわない。
【００１５】
図６は本発明に係る電子機器のクリップ置場の第２実施形態を示す図４（Ａ）相当の平面図（Ａ）とそのＢ−Ｂ断面図（Ｂ）である。
第１実施形態においては、クリップ置場８の下部に他の部品が配置されている場合、それら部品がネックとなり、クリップ置場８に設けた穴８ａから受皿２０へクリップやホチキスの針カス等を落下させることができないことがある。特に操作部上にクリップ置場８を設ける場合は、図７に示すように基板２３がクリップ置場８の下部まで配置されている場合があり、そうでなくても穴８ａ付近まで基板２３が配置されているだけでも、安全規格上前述の穴８ａを設けることができない場合がある。
【００１６】
そこで本実施形態では、図６で示すように、上カバー５に設けたクリップ置場８の装置本体手前側にガイド溝２４を設け、クリップ置場８とガイド溝２４間に傾斜面２５を形成してある。そのほかの構成は先の実施形態と同一ないし類似であるので説明を省略する。
【００１７】
本実施形態でクリップ置場８に放置されたホチキスの針カス等を除去、清掃するには、右前ドア６をあらかじめ開いてクリップ置場８の装置本体手前側に設けたガイド溝２４下へ受皿２０をセットし、クリップ置場８に放置されたホチキスの針カス等をガイド溝２４で案内させつつ装置本体手前側から受皿２０内へ落下させる。このとき、クリップ置場８とガイド溝２４間に設けた傾斜面２５は、クリップ置場８に放置されたホチキスの針カス等を容易にガイド溝２４へ案内する。
【００１８】
図８は本発明に係る電子機器のクリップ置場の第３実施形態を示す図６（Ｂ）相当の断面図、図９はその動作を示す側面図（Ａ）と平面断面部分図（Ｂ）である。
上述した第２実施形態においては、受皿２０の奥行き寸法Ｄ（図５参照）が長いものを使いたい場合、右前ドア６を閉じた時に装置本体１内の部品やユニットに干渉して右前ドア６を閉じることができないか、もしくは干渉しないように装置本体１内の部品やユニットのレイアウトを変更しなければならず、設計上の自由度が下がる場合がある。
【００１９】
そこで本実施形態では、図示のように受皿２０を、引っ掛け部２２を一体成形で設けた受皿本体３０と、受皿本体３０上部の両側面に設けた嵌合穴３１と嵌合する軸３２を備える回動受皿３３に２分することにより、嵌合穴３１を支点として回動受皿３３を矢印Ｒのように回転（開閉）させることを可能としてある。
【００２０】
すなわち本実施形態では、右前ドア６を開けた時に回動受皿３３を開いてガイド溝２４から案内されてきたホチキスの針カス等を受け止め、右前ドア６を閉める時には回動受皿３３を閉じ、かつ回動受皿３３に受け止めたホチキスの針カス等を受皿本体３０内へ落下させて保持する。また回動受皿３３を閉じると受皿２０全体の開放部分が前ドア６の背面によって塞がれるため、前ドア６を開閉するときの衝撃で受皿２０に溜まっているホチキスの針カス等が飛散することが防止できる。
【００２１】
【発明の効果】
請求項１に係る電子機器のクリップ置場は、以上説明してきたように、クリップ置場に放置されたホチキスの針カス等を容易に受皿へ除去することができ、その際にホチキスの針端部等によるケガを防止することができるという効果がある。
【００２２】
請求項２に係る電子機器のクリップ置場は、請求項１と共通の効果を得ることができるとともに、以上説明してきたように、クリップ置場の下部に他の部品等が配置されていても、クリップ置場に放置されたホチキスの針カス等を受皿へ容易に除去することができるという効果がある。
【００２３】
請求項３に係る電子機器のクリップ置場は、請求項１または２と共通の効果を得ることができるとともに、以上説明してきたように、装置本体内の受皿を設置可能なスペースが狭くても受皿を設けることができ、しかも除去したホチキスの針カス等を飛散させずに保持できるという効果がある。
【図面の簡単な説明】
【図１】クリップ置場を備える複写機等の電子機器の従来の例を示す斜視図である。
【図２】図１の拡大部分平面図である。
【図３】図２のＡ−Ａ断面図である。
【図４】本発明に係る電子機器のクリップ置場の第１実施形態を示す図３相当の平面図（Ａ）とそのＢ−Ｂ断面図（Ｂ）である。
【図５】図４に示す受皿の平面図（Ａ）と側面図（Ｂ）である
【図６】本発明に係る電子機器のクリップ置場の第２実施形態を示す図４（Ａ）相当の平面図（Ａ）とそのＢ−Ｂ断面図（Ｂ）である。
【図７】クリップ置場の下部に他の部品が配置されている場合を示す断面図である。
【図８】本発明に係る電子機器のクリップ置場の第３実施形態を示す図６（Ｂ）相当の断面図である。
【図９】第３実施形態の動作を示す側面図（Ａ）と平面断面部分図（Ｂ）である。
【符号の説明】
１　装置本体
５　上カバー
８　クリップ置場
８ａ　穴
８ｂ　ガイドリブ
２０　受皿
２１　引っ掛け用穴
２２　引っ掛け部
２３　基板
２４　ガイド溝
２５　傾斜面
３０　受皿本体
３１　嵌合穴
３２　軸
３３　回動受皿
Ｄ　受皿の奥行き寸法
【図１】
2004145135.tif 000003
【図２】
2004145135.tif 000004
【図３】
2004145135.tif 000005
【図４】
2004145135.tif 000006
【図５】
2004145135.tif 000007
【図６】
2004145135.tif 000008
【図７】
2004145135.tif 000009
【図８】
2004145135.tif 000010
【図９】
2004145135.tif 000011